(57)【要約】【課題】  リーチや大当たりの特別遊技状態が引き当てられたとき、特別遊技状態の演出表示を容易に再現可能とする特別遊技状態再現機能付遊技機を提供すること。【解決手段】  本発明の特別遊技状態再現遊技機１０は、リーチ予告状態やリーチ状態や大当たりの特別遊技状態が引き当てられたとき特別遊技状態の演出表示データを、装着式の記憶媒体３２や接続式の記憶器３３に記憶し、リーチ予告状態やリーチ状態や大当たりの特別遊技状態を再現することとした。【選択図】  図１
2005204915.tif 000002
【特許請求の範囲】
【請求項１】
特別遊技状態が引き当てられたとき前記特別遊技状態の演出表示データを記憶し、前記特別遊技状態を再現することを特徴とする特別遊技状態再現機能付遊技機。
【請求項２】
前記特別遊技状態は、リーチ予告状態、リーチ状態およびまたは、大当たりの前記演出表示データを記憶し、前記特別遊技状態が引き当てられたときの前記特別遊技状態を再現することを特徴とする請求項１に記載の特別遊技状態再現機能付遊技機。
【請求項３】
前記特別遊技状態の演出表示データは、装着式の記憶媒体または接続式の記憶器に記憶することを特徴とする請求項１に記載の特別遊技状態再現機能付遊技機。
【請求項４】
前記記憶器は携帯端末を使用し、前記演出表示データを出力する接続器に予め前記携帯端末を接続し、前記特別遊技状態が引き当てられた時、前記特別遊技状態を前記携帯端末に知らせることを特徴とする請求項３に記載の特別遊技状態再現機能付遊技機。
【請求項５】
前記特別遊技状態の演出表示データは、動画データ、画像データおよびまたは音声データとすることを特徴とする請求項１に記載の特別遊技状態再現機能付遊技機。
【請求項６】
前記特別遊技状態の再現機能付であることを示す表示板を取付けることを特徴とする請求項１に記載の特別遊技状態再現機能付遊技機。
【請求項７】
前記表示板は、前記特別遊技状態の再現機能付であることを示すことに加え、前記特別遊技状態の再現機能付であることの統一した呼称およびまたは、前記特別遊技状態の再現機能の仕様を統一した規格品であることを示すことを特徴とする請求項６に記載の特別遊技状態再現機能付遊技機。
【請求項８】
前記表示板は、前記特別遊技状態を記憶する携帯端末に取付けることを特徴とする請求項６または請求項７に記載の特別遊技状態再現機能付遊技機。
【発明の詳細な説明】
【技術分野】
【０００１】
本発明は、パチンコやスロットマシンなどの遊技機に関し、特に、リーチや大当たりの特別遊技状態が引き当てられたときの演出表示を再現可能とする特別遊技状態再現機能付遊技機に関する。
【背景技術】
【０００２】
従来、パチンコ遊技機は、通常、遊技盤に設けられた特別入賞口にパチンコ玉が入賞すると、同じく遊技盤のほぼ中央に設けられた表示器に表示された通常３個の図柄が変動を開始し、一定時間経過後に２個の同一の図柄が揃うとリーチ状態が表示され、リーチ状態が表示された後に同一の図柄が全部揃うと大当たりの確定が表示される。大当たりが確定すると、大入賞口が開放され短時間に大量のパチンコ玉を獲得することができる。このリーチ状態が表示されたときや、大当たりが確定したときに演出効果を高めるために、表示器には通常３個の図柄の表示に加え、歴史上や物語上の人物や、動物や架空のキャラクタなどを登場させ各種の演出表示が行われている（例えば、特許文献１参照）。
【０００３】
【特許文献１】特開平９−１６４２４８号公報
【発明の開示】
【発明が解決しようとする課題】
【０００４】
上記したごとく、従来のパチンコ遊技機は、リーチ状態が表示されたときや、大当たりが確定したときに演出効果を高めるために、歴史上や物語上の人物や、動物や架空のキャラクタなどを登場させ各種の極めて興味深い演出表示が各種のパチンコ遊技機ごとに多種多様に行われている。演出表示の中には極めて興味深く稀な演出を示すものがあるが、大当たりが確定したときの演出表示は比較的短時間であり、リーチや大当たりを引き当てた遊技者がその演出表示に興味を持ち再び同じリーチや大当たりの演出表示を見たくとも、リーチや大当たりを引き当てるためには所定の確率が設定されており、また、リーチや大当たりの状態は多種多様でありリーチや大当たりの状態になったとしても所望の状態とはかぎらず、再度同様のリーチや大当たりの状態を得るためにはかなりの金銭と時間を必要とする可能性があった。また、パチンコ遊技機に限らずスロットマシンなどの遊技機にも同様の問題があった。
【０００５】
本発明は、このような従来の問題に鑑みてなされたもので、リーチや大当たりの特別遊技状態が引き当てられたとき、特別遊技状態の演出表示を容易に再現可能とする特別遊技状態再現機能付遊技機を提供することを目的とする。
【課題を解決するための手段】
【０００６】
本発明の特別遊技状態再現遊技機は、特別遊技状態が引き当てられたとき前記特別遊技状態の演出表示データを記憶し、前記特別遊技状態を再現することとした。
【０００７】
また、前記特別遊技状態は、リーチ予告状態、リーチ状態およびまたは、大当たりの前記演出表示データを記憶し、前記特別遊技状態が引き当てられたときの前記特別遊技状態を再現することとした。
【０００８】
また、前記特別遊技状態の演出表示データは、装着式の記憶媒体または接続式の記憶器に記憶することとした。
【０００９】
また、前記記憶器は携帯端末を使用し、前記演出表示データを出力する接続器に予め前記携帯端末を接続し、前記特別遊技状態が引き当てられた時、前記特別遊技状態を前記携帯端末に知らせることとした。
【００１０】
また、前記特別遊技状態の演出表示データは、動画データ、画像データおよびまたは音声データとすることとした。
【００１１】
また、前記特別遊技状態の再現機能付であることを示す表示板を取付けることとした。
【００１２】
また、前記表示板は、前記特別遊技状態の再現機能付であることを示すことに加え、前記特別遊技状態の再現機能付であることの統一した呼称およびまたは、前記特別遊技状態の再現機能の仕様を統一した規格品であることを示すこととした。
【００１３】
さらに、前記表示板は、前記特別遊技状態を記憶する携帯端末に取付けることとした。
【発明の効果】
【００１４】
本発明の特別遊技状態再現遊技機は、特別遊技状態が引き当てられたとき前記特別遊技状態の演出表示データを記憶し、前記特別遊技状態を再現することとしたため、特別遊技状態が引き当てられたとき、特別遊技状態の演出表示を容易に再現することができる。また、特別遊技状態が引き当てられたとき記憶した演出表示データは個人の遊技履歴や希少なコレクションとして収集することもできる。
【００１５】
また、前記特別遊技状態は、リーチ予告状態、リーチ状態およびまたは、大当たりの前記演出表示データを記憶し、前記特別遊技状態が引き当てられたときの前記特別遊技状態を再現することとしたため、多種多彩の演出表示データを得ることができる。
【００１６】
また、前記特別遊技状態の演出表示データは、装着式の記憶媒体または接続式の記憶器に記憶することとしたため、遊技者が所持しているものや所持し易いもので容易に特別遊技状態の演出表示データを記憶することができる。
【００１７】
また、前記記憶器は携帯端末を使用し、前記演出表示データを出力する接続器に予め前記携帯端末を接続し、前記特別遊技状態が引き当てられた時、前記特別遊技状態を前記携帯端末に知らせることとしたため、大当たりの演出表示が行われる時または前に着信音や振動などで大当たりを知ることができ、遊技性を高めることができ、また、着信待ちの間は通常の電話機能やメール機能として利用することもできる。
【００１８】
また、前記特別遊技状態の演出表示データは、動画データ、画像データおよびまたは音声データとすることとしたため、多様の演出表示を行うことができる。
【００１９】
また、前記特別遊技状態の再現機能付であることを示す表示板を取付けることとしたため、特別遊技状態の再現機能のないものとの差別を明確にし、製品差別化を図ることができる。
【００２０】
また、前記表示板は、前記特別遊技状態の再現機能付であることを示すことに加え、前記特別遊技状態の再現機能付であることの統一した呼称およびまたは、前記特別遊技状態の再現機能の仕様を統一した規格品であることを示すこととしたため、特別遊技状態の再現機能付であることがより容易に分かり、また、統一規格品であることが容易に分かり使用上の誤りを防止することもできる。さらに、統一規格品を製造することにより機種間で互換性を持ち、１つの記憶媒体や記憶器で容量限界まで演出表示データの記憶をすることができる。
【００２１】
さらに、前記表示板は、前記特別遊技状態を記憶する携帯端末に取付けることとしたため、携帯端末が規格を統一したいずれの特別遊技状態再現機能付遊技機にも接続可能であることを示すことができる。
【発明を実施するための最良の形態】
【００２２】
以下、本発明の実施の形態の特別遊技状態再現遊技機につき図を用いて説明する。
【実施例１】
【００２３】
図１は、本発明の第１の実施の形態の特別遊技状態再現機能付遊技機の正面図を示す。
【００２４】
図１に示すように、本発明の第１の実施の形態の特別遊技状態再現機能付遊技機１０は、パチンコ遊技機を示し、パチンコ玉が入賞する特別入賞口１２と、特別入賞口１２にパチンコ玉が入賞し大当たりが引き当てられたとき広く開口する大入賞口１３と、図柄や演出表示をする表示器１４とが遊技盤１１に設けられている。また、遊技盤１１の下側には、打球用のパチンコ玉の玉受上皿１５と、景品パチンコ玉の受用の玉受下皿１６と、操作ハンドル１７と、さらに玉受下皿１６の横に設けられたスマートメディヤなどの記憶媒体３２（図２参照）を装着する記憶媒体装着口１８と、玉受下皿１６の横に設けられた通信ケーブル１９ａを介し携帯端末などの記憶器３３（図２参照）を接続する接続器１９とが設けられている。表示器１４は、内部に設けられた制御部２０（図２参照）により、３個の変動図柄が表示され、リーチや大当たりになると演出表示が行われる。
【００２５】
パチンコ玉が特別入賞口１２に入賞すると、３個の変動図柄が変動し順次停止が行われるが、最初に停止した変動図柄と２番目に停止した変動図柄とが揃ったときリーチ状態となり、さらに３番目の図柄が停止し３個の図柄が揃ったとき大当たりが引き当てられる。大当たりが引き当てられると、大入賞口１３が広く開口し、大当たり期間中に多くの打球を入賞することができる。
【００２６】
パチンコ玉が特別入賞口１２に入賞しリーチ状態となったときと、大当たりが引き当てられたとき各種の演出表示が行われるが、記憶媒体装着口１８に予め定めた記憶媒体３２が装着されていたときには、そのときの演出表示データは記憶媒体装着口１８に装着された記憶媒体３２に記憶され、記憶媒体装着口１８から引き出した記憶媒体３２により、別途パーソナルコンピュータなどの情報端末で演出表示を再現することができる。また、接続器１９に記憶器３３が接続されていたときには、演出表示データは接続器１９に接続された記憶器３３に記憶され、接続器１９から取外された記憶器３３により、携帯端末の画像や音声の再生機能や、パーソナルコンピュータなどの情報端末で演出表示を再現することができる。
【００２７】
図２は、本発明の第１の実施の形態の特別遊技状態再現機能付遊技機のブロック図を示す。
【００２８】
図１と図２により、本発明の実施の形態の特別遊技状態再現機能付遊技機１０の動作につき詳細に説明する。
【００２９】
制御部２０は、マイクロコンピュータで構成され、制御処理を行うＣＰＵ２１と、制御プログラムなどが格納されたＲＡＭ２４と、演出表示データなどが格納されたＲＯＭ２５と、入力側のインターフェース２２と、出力側のインターフェース２３とが設けられ、入力側のインターフェース２２には、特別入賞口１２の近辺に設けられパチンコ玉が入賞すると作動する始動スイッチ２６と、記憶媒体装着口１８に記憶媒体３２が装着されていることを検出する装着検出器２７と、記憶器３３が接続していることを検出する接続検出器２８とが接続され、出力側のインターフェース２３には、大入賞口１３に設けられた開口ソレノイド２９と、演出表示が行われる表示器１４と、演出表示データを記憶媒体３２や記憶器３３に記憶する書込部３１が接続している。
【００３０】
玉受上皿１５よりのパチンコ玉の打球が特別入賞口１２に入賞し、特別入賞口１２の近辺に設けられた始動スイッチ２６が始動すると、ＲＡＭ２４に記憶された制御プログラムに従いＣＰＵ２１により、表示器１４に表示されている３個の変動図柄が変動し順次停止が行われ、最初に停止した変動図柄と２番目に停止した変動図柄とが揃ったときリーチ状態となり、引き当てられたリーチ状態の演出表示が表示器１４に行われる。さらに３番目の図柄が停止し３個の図柄が揃ったとき、大当たりが引き当てられ確定すると、引き当てられた大当たりの演出表示が表示器１４に行われる。大当たりの確定により、大入賞口１３に設けられた開口ソレノイド２９が作動して大入賞口１３が広く開口し、大当たり期間中に多くの打球を入賞することができる。
【００３１】
大当たりが確定したとき各種の演出表示が表示器１４に行われるが、記憶媒体装着口１８に記憶媒体３２が装着されていたときには、装着検出器２７により記憶媒体３２の装着を検出しているため、ＣＰＵ２１は、引き当てられた大当たりの確定信号と、ＲＯＭ２５に格納された大当たりの演出表示データを書込部３１に送信し、書込部３１は、大当たりの演出表示データを記憶媒体装着口１８に装着された記憶媒体３２に記憶する。大当たりの演出表示データの記憶は、大当たりが確定した時点から開始し、大当たりの演出表示が終わる時点で終了する。また、大当たりが確定したとき各種の演出表示が行われるが、接続器１９に記憶器３３が接続されていたときには、接続検出器２８により記憶器３３の接続を検出しているため、記憶媒体装着口１８に記憶媒体３２が装着されていたときと同様に、書込部３１は、大当たりの演出表示データを接続器１９に接続された記憶器３３に記憶する。大当たりの演出表示データの記憶は、記憶媒体装着口１８に記憶媒体３２が装着されていたときと同様に、大当たりが確定した時点から開始し、大当たりの演出表示が終わる時点で終了する。
【００３２】
記憶媒体装着口１８に装着されている記憶媒体３２や、接続器１９に接続されている記憶器３３への演出表示データの記憶は、書込部３１から直接演出表示データを記憶することも、書込部３１が一旦演出表示データを記憶してから行うこともできる。
【００３３】
記憶媒体装着口１８に記憶媒体３２が装着されていたときには、記憶媒体装着口１８から引き出した記憶媒体３２により、別途パーソナルコンピュータなどの情報端末で大当たりの演出表示を再現することができる。また、接続器１９に記憶器３３が接続されていたときには、接続器１９から取外された記憶器３３により、携帯端末の画像や音声の再生機能や、パーソナルコンピュータなどの情報端末で演出表示を再現することができる。また、記憶した演出表示データは、パーソナルコンピュータなどの情報端末にダウンロードして演出表示を再現することもできる。
【００３４】
記憶した演出表示データは個人の遊技履歴や希少なコレクションとして収集することができる。また、コレクションとして収集した第三者から無償または有償で、大当たり演出表示データを得るために金銭や時間を消費することなく、希少なコレクションを得ることもできる。さらに、記憶した演出表示データは、インターネットや電子メールなどで第三者に広く公開することができる。
【００３５】
なお、本発明の第１の実施の形態の特別遊技状態再現機能付遊技機１０は、接続器１９に接続する記憶器３３として、例えば携帯電話などの携帯端末を使用することができるが、この携帯端末の場合には、接続器１９に接続して、大当たりの着信を待つ状態とし大当たりが確定した時点で、携帯端末に大当たりの確定の信号が送られ、表示器１４に表示される大当たりの演出表示が行われる時または前に着信音や振動などで大当たりを知らせることができ、遊技性を高めることもできる。着信待ちの間は通常の電話機能やメール機能を利用することができる。
【００３６】
上述で、大当たりの演出表示データを記憶することとしたが、大当たりの演出表示データの記憶に限らず、リーチ状態の演出表示データや、リーチ前のリーチ予告状態の演出表示データも記憶するようにすることもできる。また、演出表示データを記憶することとしたが、演出表示データは、画像データや、映像データや音声データを記憶することができる。
【００３７】
また、図４に示すように、特別遊技状態再現機能付遊技機の正面に演出表示再現スイッチ盤４２を設け、戻りスイッチ４３ａ、再生スイッチ４３ｂ、停止スイッチ４３ｃ、送りスイッチ４３ｄよりなる演出表示再現スイッチ４３の操作により、書込部３１が記憶した大当たりの演出表示データを表示器１４に再現するようにすることもできる。演出表示データの記憶については、フルスペック記憶とハーフスペック記憶の選択スイッチ４４を演出表示再現スイッチ盤４２に設け、フルスペック記憶は上述全ての演出表示データを記憶し、ハーフスペック記憶は大当たり期間中の演出表示データを記憶しないといった記憶範囲の指定を予め行うことによって、遊技者が必要とする記憶範囲を選択することができる。選択スイッチ４４によりフルスペック記憶が選択されたときには、インジケータランプ４５ａが点灯し、ハーフスペック記憶が選択されたときには、インジケータランプ４５ｂが点灯する。
【００３８】
また、例えば遊技機製造会社が遊技機に設定した希少性の高い演出表示に金銭や物品などの懸賞をかけることを行ったとき、遊技者は、記憶した演出表示データを電子メールや遊技機製造会社のインターネット上のホームページで公開することで金銭や物品などを授受することも可能となり、関連する遊技機製造会社、遊技機設置施設、関連雑誌出版社および遊技者などの間で新たな交流を図ることが可能となる。遊技機製造会社は、遊技機を売り込むにあたり、各種の交流を図ることにより他社製品に対し販売上優位とすることができる。遊技機設置施設は、遊技機に設定した希少性の高い演出表示に金銭や物品などの懸賞をかける催しなどを主催することで遊技者数の増加や遊技機の稼働率増加を図ることができる。
【００３９】
さらに、希少性の高い演出表示を収集することもあることから遊技機の製品サイクルの長期化にもつながり、遊技機製造会社は後継新機種の開発期間に余裕ができ、また一方遊技機設置施設は、新機種入れ替えなどの経費削減を図ることができる。
【実施例２】
【００４０】
図３は、本発明の第２の実施の形態の特別遊技状態再現機能付遊技機の正面図を示し、図３（ａ）は、特別遊技状態再現機能付遊技機に取付けられる表示板の拡大図を示す。
【００４１】
図３に示すように、本発明の第２の実施の形態の特別遊技状態再現機能付遊技機４０は、パチンコ遊技機を示し、正面に特別遊技状態の再現機能付であることを示す表示板４１を取付けるようにしたものであり、その他の構成は、本発明の第１の実施の形態の特別遊技状態再現機能付遊技機１０と同様である。この表示板４１は、特別遊技状態再現機能付であることを表示し、さらに、記憶媒体３２や記憶器３３の使用可能の種類や方式などの仕様や、呼称を規格として統一し、図３（ａ）に示すように統一した規格品であることを示す例えばＰ−ＣＯＭ（ピーコム）として表示することもできる。
【００４２】
表示板４１を取付け、特別遊技状態再現機能付であることを表示することにより、特別遊技状態再現機能付であることと特別遊技状態再現機能付でないこととの間の差別を明確にし、製品差別化を図ることができ、また、統一規格品であることを明示し、使用上の誤りを防止し便宜を図ることもできる。
【００４３】
また、表示板４１で表示した規格品を製造することにより、遊技機製造会社間や機種間で互換性を持ち、１つの記憶媒体３２や記憶器３３で容量限界まで演出表示データの記憶をすることができ、遊技機製造会社や機種間で異なる記憶媒体３２や記憶器３３を用意することが不要となる。
【００４４】
さらに、表示板は、前記特別遊技状態を記憶する携帯端末に取付け、携帯端末が規格を統一したいずれの特別遊技状態再現機能付遊技機４０にも接続可能であることを示すことができる。
【００４５】
なお、本発明の第１、第２の実施の形態の特別遊技状態再現機能付遊技機１０、４０は、パチンコ遊技機の例について説明したが、スロットマシンなどの遊技機にも同様のことを行うことができる。
【図面の簡単な説明】
【００４６】
【図１】本発明の第１の実施の形態の特別遊技状態再現機能付遊技機の正面図を示す。
【図２】本発明の第１の実施の形態の特別遊技状態再現機能付遊技機のブロック図を示す。
【図３】本発明の第２の実施の形態の特別遊技状態再現機能付遊技機の正面図を示し、図３（ａ）は、特別遊技状態再現機能付遊技機に取付けられる表示板の拡大図を示す。
【図４】特別遊技状態再現機能付遊技機に設けた演出表示再現スイッチ盤の正面図を示す。
【符号の説明】
【００４７】
１０、４０  特別遊技状態再現機能付遊技機
１２  特別入賞口
１３  大入賞口
１４  表示器
１５  玉受上皿
１６  玉受下皿
１８  記憶媒体装着口
１９  接続器
２０  制御部
２１  ＣＰＵ
２２、２３  インターフェース
２４  ＲＡＭ
２５  ＲＯＭ
２６  始動スイッチ
２７  装着検出器
２８  接続検出器
２９  開口ソレノイド
３１  書込部
３２  記憶媒体
３３  記憶器
４１  表示板
４２  演出表示再現スイッチ盤
４３  演出表示再現スイッチ
４４  選択スイッチ
【図１】
2005204915.tif 000003
【図２】
2005204915.tif 000004
【図３】
2005204915.tif 000005
【図４】
2005204915.tif 000006